(57)【要約】【課題】  棟屋根におけるシール装置のシール性能を向上させるようにした場合において、このシール装置の外観上の見栄えの向上が容易にできるようにする。【解決手段】  棟屋根１は、棟基部２の左、右表面にそれぞれ葺かれる左、右地瓦４，５群と、棟基部２に支持され、この棟基部２を構成する棟峰１９の長手方向Ａに延び棟瓦６群を支持する棟下地材２１とを備える。地瓦４，５群と棟瓦６群との間の隙間８をシールする棟屋根用シール装置９は、棟峰１９の長手方向Ａで互いに離れて複数設けられ、この棟峰１９の幅方向に延びてその中途部が棟下地材２１に固定される支持バー２５と、棟瓦６群の裏面近傍で長手方向Ａに延び支持バー２５の端部に支持可能とされる剛性の水切り材２６と、この水切り材２６と地瓦４，５群の表面との間に介設され、水切り材２６からの押圧力で地瓦４，５群の表面に面接触状に圧接可能とされる弾性のシール体２８とを備える。【選択図】  図１
2006291644.tif 000002
【特許請求の範囲】
【請求項１】
棟基部の左、右表面にそれぞれ葺かれる左、右地瓦群と、上記棟基部に支持され、この棟基部を構成する棟峰の長手方向に延び棟瓦群を支持する棟下地材とを備えた棟屋根において、上記地瓦群と棟瓦群との間の隙間をシールする棟屋根用シール装置であって、
上記棟峰の長手方向で互いに離れて複数設けられ、この棟峰の幅方向に延びてその中途部が上記棟下地材に固定される支持バーと、上記棟瓦群の裏面近傍で上記長手方向に延び上記支持バーの端部に支持可能とされる剛性の水切り材と、この水切り材と上記地瓦群の表面との間に介設され、上記水切り材からの押圧力で上記地瓦群の表面に面接触状に圧接可能とされる弾性のシール体とを備えたことを特徴とする棟屋根用シール装置。
【請求項２】
上記棟屋根を隅棟屋根とし、上記棟峰に沿って葺かれた各地瓦毎に上記水切り材を個別に設け、これら水切り材の側面視で、これら水切り材の縦幅寸法を上記長手方向で斜め上方に向かうに従い漸増させたことを特徴とする請求項１に記載の棟屋根用シール装置。
【請求項３】
上記水切り材の側面視で、上記長手方向で隣り合う両水切り材の互いの対向端部を上記棟峰の幅方向で互いに重ね合わせ可能としたことを特徴とする請求項２に記載の棟屋根用シール装置。
【発明の詳細な説明】
【技術分野】
【０００１】
本発明は、棟屋根において、地瓦群の表面と、棟瓦群の裏面との間に生じる隙間をシールする棟屋根用シール装置に関するものである。
【背景技術】
【０００２】
上記棟屋根には、従来、下記特許文献１，２に示されるものがある。これら特許文献１，２のものによれば、上記棟屋根は、野地板などを備えた棟基部と、この棟基部の左、右表面にそれぞれ葺かれる左、右地瓦群と、上記棟基部に支持され、この棟基部を構成する棟峰の長手方向に延び棟瓦群を支持する棟下地材と、上記地瓦群と棟瓦群との間の隙間をシールする棟屋根用シール装置とを備えている。
【０００３】
上記特許文献１における上記シール装置は、上記長手方向に延びて上記棟下地材に取り付けられる板金製の固定板と、上記棟峰の幅方向における上記固定板の各外側縁部の下面に取り付けられて、上記各地瓦の表面の一部にそれぞれ圧接させられる弾性のシール体とを備えている。
【０００４】
一方、特許文献２における上記シール装置は全体的に弾性のシール体で構成され、このシール体の下面には粘着材が貼り付けられている。この粘着材により、上記シール体の下面が上記地瓦群の表面に面接触するよう貼り付けられている。そして、上記シール体の上縁部に対し、上記棟瓦群の裏面が圧接させられている。
【０００５】
【特許文献１】特開平１０−１９６０５８号公報
【特許文献２】特開２００４−２４４７９９号公報
【発明の開示】
【発明が解決しようとする課題】
【０００６】
ところで、上記特許文献１のシール体は、上記したように各地瓦の表面の一部にそれぞれ圧接させられている。このため、上記各地瓦の表面の他部とシール体との間にはそれぞれ隙間が生じることから、上記シール体によっては十分なシール性能を得ることは困難である。
【０００７】
そこで、上記特許文献１のシール体に代えて、特許文献２のシール体を適用し、シール装置のシール性能を向上させるようにすることが考えられる。しかし、このようにすると、シール装置の設置作業において、次のような問題点が生じてくる。
【０００８】
即ち、上記特許文献２のシール体の上縁部に対し、この特許文献２の棟瓦群に代えて特許文献１の固定板を圧接させる。この場合、上記シール体は弾性変形するため、この変形によりシール体の外観上の見栄えが低下するおそれを生じる。そこで、上記したシール体の弾性変形後に、このシール体の外観上の見栄えを向上させる上で、このシール体の形状を矯正することが望まれる。そして、この矯正作業は、上記シール体をその表、裏面側から両手で挟むようにして行なえば、上記矯正作業が容易にできて好ましい。
【０００９】
しかし、上記シール体の裏面側の空間は上記固定板により覆われており、このため、上記空間に片方の手を差し入れて、上記シール体の裏面側に対する作業をする、ということは困難である。よって、上記した矯正作業は容易でなく、この結果、上記シール装置の外観上の見栄えを向上させることは容易でない。
【００１０】
また、上記特許文献２でも、シール体の裏面側の空間は棟瓦で覆われている。よって、上記特許文献２においても、上記と同様に、シール装置につき、見栄え上の問題点が生じるおそれがある。
【００１１】
また、上記特許文献２のものでは、次のような問題点がある。即ち、隅棟屋根（特許文献２の図７）では、棟峰に沿って地瓦が葺かれるが、この場合、この棟峰の長手方向で隣り合う両地瓦同士の間には段差部が生じる。そして、この段差部の表面と上記シール体との間には隙間が生じがちとなる。このため、上記段差部の表面と、棟瓦の裏面との間を上記シール体によって十分にシールすることは困難になりがちである。そこで、別途にシーリング材が塗布接着されて、シール性能が向上させられている（特許文献２の［００１４］）。
【００１２】
しかし、上記のようにシール体とは別途にシーリング材を塗布すると、上記シール装置の設置作業が煩雑となる。
【課題を解決するための手段】
【００１３】
本発明は、上記のような事情に注目してなされたもので、本発明の目的は、棟屋根におけるシール装置のシール性能を向上させるようにした場合において、このシール装置の外観上の見栄えの向上が容易にできるようにすることである。
【００１４】
また、本発明の他の目的は、棟屋根における上記シール装置の設置作業が容易にできるようにすることである。
【００１５】
請求項１の発明は、全図に例示するように、棟基部２の左、右表面にそれぞれ葺かれる左、右地瓦４，５群と、上記棟基部２に支持され、この棟基部２を構成する棟峰１９の長手方向Ａに延び棟瓦６群を支持する棟下地材２１とを備えた棟屋根１において、上記地瓦４，５群と棟瓦６群との間の隙間８をシールする棟屋根用シール装置であって、
上記棟峰１９の長手方向Ａで互いに離れて複数設けられ、この棟峰１９の幅方向に延びてその中途部が上記棟下地材２１に固定される支持バー２５と、上記棟瓦６群の裏面近傍で上記長手方向Ａに延び上記支持バー２５の端部に支持可能とされる剛性の水切り材２６と、この水切り材２６と上記地瓦４，５群の表面との間に介設され、上記水切り材２６からの押圧力で上記地瓦４，５群の表面に面接触状に圧接可能とされる弾性のシール体２８とを備えたものである。
【００１６】
請求項２の発明は、図３−５に例示するように、請求項１の発明に加えて、上記棟屋根１を隅棟屋根１ｂとし、上記棟峰１９に沿って葺かれた各地瓦４，５毎に上記水切り材２６を個別に設け、これら水切り材２６の側面視（図４）で、これら水切り材２６の縦幅寸法を上記長手方向Ａで斜め上方に向かうに従い漸増させたものである。
【００１７】
請求項３の発明は、図３−５に例示するように、請求項２の発明に加えて、上記水切り材２６の側面視（図４）で、上記長手方向Ａで隣り合う両水切り材２６の互いの対向端部を上記棟峰１９の幅方向で互いに重ね合わせ可能としたものである。
【００１８】
なお、この項において、上記各用語に付記した符号は、本発明の技術的範囲を後述の「実施例」の項や図面の内容に限定解釈するものではない。
【発明の効果】
【００１９】
本発明による効果は、次の如くである。
【００２０】
請求項１の発明は、棟基部の左、右表面にそれぞれ葺かれる左、右地瓦群と、上記棟基部に支持され、この棟基部を構成する棟峰の長手方向に延び棟瓦群を支持する棟下地材とを備えた棟屋根において、上記地瓦群と棟瓦群との間の隙間をシールする棟屋根用シール装置であって、
上記棟峰の長手方向で互いに離れて複数設けられ、この棟峰の幅方向に延びてその中途部が上記棟下地材に固定される支持バーと、上記棟瓦群の裏面近傍で上記長手方向に延び上記支持バーの端部に支持可能とされる剛性の水切り材と、この水切り材と上記地瓦群の表面との間に介設され、上記水切り材からの押圧力で上記地瓦群の表面に面接触状に圧接可能とされる弾性のシール体とを備えている。
【００２１】
即ち、上記水切り材からの押圧力で上記シール体が上記地瓦群の表面に面接触状に圧接させられるため、上記地瓦群と棟瓦群との間の隙間は、上記シール装置の水切り材とシール体とにより、より確実に閉じられる。よって、このシール装置のシール性能が向上する。
【００２２】
ここで、上記したように、シール体が水切り材からの押圧力で地瓦群の表面に圧接させられると、上記シール体は弾性変形して、その外観上の見栄えが低下するおそれを生じる。
【００２３】
そこで、上記したシール体の弾性変形後に、このシール体の外観上の見栄えを向上させる上で、このシール体の形状が矯正される。この矯正作業は、上記棟下地材とシール体とで挟まれた作業空間に対し、上記棟峰の長手方向で互いに離れて隣り合う両支持バーの間を通し片方の手を差し込むことにより、上記シール体をその表面側（外面側）と、裏面側（内面側）とから両手で挟むようにしてできる。このため、上記矯正作業は容易にできる。
【００２４】
即ち、前記したように、棟屋根におけるシール装置のシール性能を向上させるようにした場合において、このシール装置の外観上の見栄えの向上が容易にできる。
【００２５】
請求項２の発明は、上記棟屋根を隅棟屋根とし、上記棟峰に沿って葺かれた各地瓦毎に上記水切り材を個別に設け、これら水切り材の側面視で、これら水切り材の縦幅寸法を上記長手方向で斜め上方に向かうに従い漸増させている。
【００２６】
ここで、上記隅棟屋根では、棟峰の長手方向で隣り合う両地瓦の間には段差部が生じる。そこで、上記長手方向で縦幅寸法が最大幅となる上記水切り材の端部を上記段差部における下面部の近傍に位置させる。すると、上記水切り材の最大幅の部分である端部から、上記下面部の表面上に位置する上記シール体の部分に対し大きい押圧力を与えることができ、このシール体の部分を上記段差部における下面部の表面に、より確実に押圧させることができる。
【００２７】
このため、上記段差部の表面と水切り材との間に隙間が生じることが防止される。よって、上記シール装置のシール性能を、より向上させることができる。
【００２８】
請求項３の発明は、上記水切り材の側面視で、上記長手方向で隣り合う両水切り材の互いの対向端部を上記棟峰の幅方向で互いに重ね合わせ可能としている。
【００２９】
このため、上記各水切り材によって上記シール体は上記長手方向で連続的に押圧されて、上記地瓦の表面に連続的に圧接させられる。この結果、上記シール装置のシール性能を、更に向上させることができる。
【発明を実施するための最良の形態】
【００３０】
本発明の棟屋根用シール装置に関し、棟屋根におけるシール装置のシール性能を向上させるようにした場合において、このシール装置の外観上の見栄えの向上が容易にできるようにする、という目的を実現するため、本発明を実施するための最良の形態は、次の如くである。
【００３１】
即ち、棟屋根は、棟基部の左、右表面にそれぞれ葺かれる左、右地瓦群と、上記棟基部に支持され、この棟基部を構成する棟峰の長手方向に延び棟瓦群を支持する棟下地材とを備えている。上記地瓦群と棟瓦群との間の隙間をシールする棟屋根用シール装置が設けられる。このシール装置は、上記棟峰の長手方向で互いに離れて複数設けられ、この棟峰の幅方向に延びてその中途部が上記棟下地材に固定される支持バーと、上記棟瓦群の裏面近傍で上記長手方向に延び上記支持バーの端部に支持可能とされる剛性の水切り材と、この水切り材と上記地瓦群の表面との間に介設され、上記水切り材からの押圧力で上記地瓦群の表面に面接触状に圧接可能とされる弾性のシール体とを備えている。
【実施例１】
【００３２】
本発明をより詳細に説明するために、その実施例１を添付の図１，２に従って説明する。
【００３３】
図１，２において、符号１は建物の棟屋根で、具体的には陸棟屋根１ａである。
【００３４】
上記棟屋根１は、基台側を構成する棟基部２と、棟屋根１の棟中心３を挟むように上記棟基部２の左、右表面にそれぞれ葺かれる左、右地瓦４，５群と，上記棟中心３に隣接する左、右地瓦４，５群の互いの対向縁部４ａ，５ａに跨るようこれら両対向縁部４ａ，５ａの間をその上方から覆う棟瓦６群と、上記左、右地瓦４，５群の間に位置して、上記棟瓦６群を棟基部２に支持する支持具７と、上記左、右地瓦４，５群の上記各対向縁部４ａ，５ａと棟瓦６群との間の左右一対の長い隙間８をシールするシール装置９とを備えている。
【００３５】
上記棟基部２は、棟木１３と、この棟木１３に支持される垂木１４と、この垂木１４上に取り付けられる野地板１５と、この野地板１５の表面に敷設される防水性の屋根シート１６とを備え、この屋根シート１６の表面が上記棟基部２の表面に相当している。上記屋根シート１６の表面に桟木１７が載置され、この桟木１７は上記野地板１５に固定されている。そして、上記各地瓦４，５は、上記桟木１７に掛止されて、棟基部２の表面に葺かれている。
【００３６】
上記棟基部２の棟中心３上には、上記左、右野地板１５の互いの対向縁部により棟峰１９が形成されている。上記支持具７は、上記棟峰１９の長手方向Ａに沿って複数設けられ、この棟峰１９から上方に向かって突設される棟金具２０と、上記棟峰１９の長手方向Ａに延び上記棟金具２０の突出端部に支持される木製の棟下地材２１と、この棟下地材２１上に載置された上記棟瓦６群を上記棟下地材２１に固定する固定具２２とを備えている。
【００３７】
上記シール装置９は、上記棟下地材２１に固定具２４により固定される複数の支持バー２５を備えている。これら支持バー２５は上記棟峰１９の長手方向Ａで互いに離れて配置されている。これら支持バー２５は、それぞれ上記棟峰１９の幅方向（左右）に延びてその中途部が上記固定具２４により棟下地材２１に固定されている。上記各支持バー２５は板金製で、十分の剛性を有している。
【００３８】
また、上記シール装置９は、上記棟瓦６群の裏面近傍で、上記棟峰１９の長手方向Ａに延びる左右一対の水切り材２６を備えている。これら各水切り材２６は、上記支持バー２５の左、右各端部に固定具２７により支持されている。上記水切り材２６は板金製である。この水切り材２６は、その底部を構成して、上記棟峰１９の幅方向にほぼ水平に延びる底板２６ａと、この底板２６ａの外側縁から一体的に上方に延出して、その上縁部が上記棟瓦６群の裏面に接合する側板２６ｂとを備え、上記長手方向Ａにおける各部縦断面がＬ字形状をなしている。
【００３９】
また、上記シール装置９は、上記各水切り材２６と左、右地瓦４，５群の各対向縁部４ａ，５ａとの間に介設される左右一対の弾性のシール体２８を備えている。これら各シール体２８はその上端面が上記水切り材２６の底板２６ａの下面に接着され、この水切り材２６からの押圧力で弾性変形して、下端面が上記各地瓦４，５の対向縁部４ａ，５ａの表面に面接触状に圧接させられている。
【００４０】
図１中、一点鎖線で示すように、上記シール体２８の自由状態における断面形状は、単純な形状である矩形をなし、その長手方向で同形同大とされている。なお、上記シール体２８は、その自由状態で上記地瓦４，５の表面の形状に合致する波形状であってもよい。
【００４１】
上記棟屋根１の組立作業につき説明する。まず、棟基部２が形成されて、この棟基部２の棟峰１９に支持具７が支持される。次に、上記棟基部２の左右表面に各地瓦４，５が葺かれる。次に、シール装置９の設置作業が行なわれる。具体的には、このシール装置９の設置作業時、もしくは、それ以前に、上記水切り材２６にシール体２８が取り付けられると共に、上記水切り材２６が上記支持バー２５に固定具２７により支持される。
【００４２】
そして、上記シール装置９の設置作業として、上記支持バー２５が固定具２２により上記支持具７の棟下地材２１に支持される。この際、上記支持バー２５からの水切り材２６を介しての押圧力で、上記シール体２８が弾性変形して上記地瓦４，５群の表面に面接触状に圧接させられる。次に、上記棟下地材２１に固定具２２により棟瓦６群が固定される。この場合、この棟瓦６群の裏面と上記水切り材２６とは互いに近接させられる。
【００４３】
このため、上記地瓦４，５群と棟瓦６群との間の隙間８は、上記シール装置９の水切り材２６とシール体２８とにより、より確実に閉じられる。よって、このシール装置９のシール性能が向上する。
【００４４】
ここで、上記したように、シール体２８が水切り材２６からの押圧力で地瓦４，５群の表面に圧接させられると、上記シール体２８は弾性変形して、その外観上の見栄えが低下するおそれを生じる。
【００４５】
そこで、上記したシール体２８の弾性変形後に、このシール体２８の外観上の見栄えを良好にする上で、このシール体２８の形状が矯正される。この矯正作業は、上記支持具７とシール体２８とで挟まれた作業空間３１に対し、上記棟峰１９の長手方向Ａで互いに離れて隣り合う両支持バー２５の間を通し片方の手を差し込むことにより、上記シール体２８をその表面側（外面側）と、裏面側（内面側）とから両手で挟むようにしてできる。このため、上記矯正作業は容易にできる。
【００４６】
即ち、前記したように、棟屋根１におけるシール装置９のシール性能を向上させるようにした場合において、このシール装置９の外観上の見栄えの向上が容易にできる。
【００４７】
なお、以上は図示の例によるが、上記地瓦４，５の表面の形状は、全体的に平坦であってもよい。
【００４８】
以下の図３−５は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００４９】
本発明をより詳細に説明するために、その実施例２を添付の図３−５に従って説明する。
【００５０】
図３−５におい手、棟屋根１は隅棟屋根１ｂである。
【００５１】
上記水切り材２６は、上記棟峰１９に沿って葺かれた各地瓦４，５毎に個別に設けられている。上記水切り材２６の側面視（図４）で、これら各水切り材２６の縦幅寸法は、上記長手方向Ａで斜め上方に向かうに従い漸増させられている。
【００５２】
ここで、上記隅棟屋根１ｂでは、棟峰１９に沿って葺かれた地瓦４，５において、この棟峰１９の長手方向Ａで隣り合う両地瓦４，５の間には段差部３４が生じる。そこで、上記長手方向Ａで隣り合う両水切り材２６の各上縁部を互いにほぼ面一にすると共に、上記長手方向Ａで縦幅寸法が最大幅となる上記水切り材２６の端部を上記段差部３４における下面部３４ａの近傍に位置させている。
【００５３】
このため、上記棟瓦６群の裏面と、上記水切り材２６群の上縁部との間の隙間は、上記長手方向Ａの各部で均一に小さく保たれる。また、上記水切り材２６の最大幅の部分である端部から、上記下面部３４ａの表面上に位置する上記シール体２８の部分に対し大きい押圧力を与えることができ、このシール体２８の部分を上記段差部３４における下面部３４ａの表面に、より確実に押圧させることができる。
【００５４】
このため、上記段差部３４の表面と水切り材２６との間に隙間が生じることが防止される。よって、上記シール装置９のシール性能を、より向上させることができる。
【００５５】
上記水切り材２６の側面視（図４）で、上記長手方向Ａで隣り合う両水切り材２６の互いの対向端部は上記棟峰１９の幅方向で互いに重ね合わされている。
【００５６】
このため、上記長手方向Ａで、上記各水切り材２６が連続的に列設されることとなる。よって、上記棟瓦６群の裏面と、上記水切り材２６群の上縁部との間の隙間は、上記長手方向Ａの各部で連続的に小さく保たれる。また、上記各水切り材２６によって上記シール体２８は上記長手方向Ａで連続的に押圧されて、上記地瓦４，５の表面に連続的に圧接させられる。この結果、上記シール装置９のシール性能を、更に向上させることができる。
【００５７】
また、上記長手方向Ａで隣り合う両水切り材２６の互いの対向縁部は、上記長手方向Ａで摺動可能とされて、これら各水切り材２６の各地瓦４，５に対する相対位置が調整可能とされている。
【００５８】
このため、上記棟峰１９に沿った各地瓦４，５の長さ寸法が一定しないとしても、これら寸法に合致するよう、上記各水切り材２６の有効長さをそれぞれ寸法調整することができる。よって、上記シール装置９のシール性能を、より確実に向上させることができる。
【図面の簡単な説明】
【００５９】
【図１】実施例１を示し、棟屋根の縦断面図である。
【図２】実施例１を示し、棟屋根の部分斜視図である。
【図３】実施例２を示し、図１に相当する図である。
【図４】実施例２を示し、棟屋根の側面断面図である。
【図５】実施例２を示し、図２に相当する図である。
【符号の説明】
【００６０】
１    棟屋根
１ａ  陸棟屋根
１ｂ  隅棟屋根
２    棟基部
３    棟中心
４    地瓦
４ａ  対向縁部
５    地瓦
５ａ  対向縁部
６    棟瓦
７    支持具
８    隙間
９    シール装置
１９  棟峰
２１  棟下地材
２５  支持バー
２６  水切り材
２６ａ  底板
２６ｂ  側板
２８  シール体
３１  作業空間
３４  段差部
３４ａ  下面部
Ａ    長手方向
【図１】
2006291644.tif 000003
【図２】
2006291644.tif 000004
【図３】
2006291644.tif 000005
【図４】
2006291644.tif 000006
【図５】
2006291644.tif 000007